(57)【要約】  個人の頭または顔の一部の形状に適合する特注のシェービングマスクを印刷するためのテンプレートを作製するためのシステムが開示されており、前記特注のシェービングマスクは、シェービング中に所望のヘアスタイルを達成することができるように、前記頭または顔上に配置可能である。このシステムは、ユーザ入力部、データストアおよびプロセッサを備える。ユーザ入力部は、複数の顔ひげスタイルからの所望の顔面ひげスタイルのユーザ選択を受け取るように構成されている。データストアは、ユーザの頭または顔の三次元スキャンを表すデータを格納するように構成される。プロセッサは、前記テンプレートを生成するために、前記選択された顔ひげスタイルを表すデータを前記三次元スキャンを表す前記データにマッピングするように構成される。このシステムに補足すると、ユーザの頭または顔の三次元スキャンを表すデータを生成するための三次元スキャナ、および特注のシェービングマスクを印刷するように構成された三次元プリンタが必要とされる。
2018506326.tif 000002
【特許請求の範囲】
【請求項１】
シェービング中に所望のヘアスタイルを達成することを可能にするために頭または顔上に配置可能である、ユーザの頭または顔の一部の形状に適合する特注のシェービングマスクを印刷するためのテンプレートを作成するシステムであって、
（a）ユーザの頭または顔の三次元スキャンを表すデータを格納するように構成されたデータストアと、
（b）複数の顔ひげスタイルからの所望の顔ひげスタイルのユーザ選択に関する情報を受信するように構成されたユーザ入力部と、
（c）前記テンプレートを生成するために、前記選択された顔ひげスタイルを表すデータを前記三次元スキャンを表すデータ上にマッピングするように構成されたプロセッサと、
を有するシステム。
【請求項２】
前記システムがサーバを含み、所望の顔ひげスタイルのユーザ選択に関する情報がネットワークを介して受信される、請求項1に記載のシステム。
【請求項３】
複数の顔面ひげスタイルからの所望の顔面ひげスタイルのユーザ選択を受信するように構成されたユーザインタフェースをさらに有する、請求項1または2に記載のシステム。
【請求項４】
前記ユーザ入力部、前記ユーザインタフェース、前記データストア及び前記プロセッサが単一の装置に含まれることを特徴とする請求項3に記載のシステム。
【請求項５】
前記ユーザの頭または顔の三次元スキャンを表すデータを取得するように構成された三次元スキャナを有する、請求項1に記載のシステム。
【請求項６】
個人の頭または顔の一部の形状に適合する特注のシェービングマスクを印刷するように構成された三次元プリンタを有し、前記プリンタは、前記テンプレートによって前記特注のシェービングマスクを印刷するように指示される、請求項1から請求項5のいずれか一項に記載のシステム。
【請求項７】
前記テンプレートは、前記三次元プリンタに前記特注のシェービングマスクを印刷させるように適合されたコンピュータ実行可能命令のセットである、請求項6に記載のシステム。
【請求項８】
個人の頭または顔の一部の形状に対応する内面を有する特注のシェービングマスクを印刷するためのテンプレートを生成する方法であって、前記特注のシェービングマスクは、シェービング中に所望の顔ひげスタイルを達成することを可能にするために前記頭または顔上に配置可能であり、当該方法は、
（a）ユーザの頭または顔の三次元スキャンを表すデータを取得するステップと、
（b）複数の顔ひげスタイルからの所望の顔ひげスタイルのユーザ選択を受信するステップと、
（c）前記テンプレートを生成するために、前記選択された顔ひげスタイルを表すデータを前記三次元スキャンを表すデータにマッピングするステップと、
を含む方法。
【請求項９】
ユーザインタフェースを使用して、複数の顔ひげスタイルからの所望の顔ひげスタイルの前記ユーザ選択を受け取るステップをさらに含む、請求項8に記載の方法。
【請求項１０】
三次元スキャナを使用して前記ユーザの頭または顔の三次元スキャンを表すデータを取得するステップを含む、請求項8または9に記載の方法。
【請求項１１】
個人の頭または顔の一部の形状に適合する内面を有する、請求項8から10のいずれか一項に記載の方法を使用して生成されたテンプレートから印刷された特注のシェービングマスク。
【請求項１２】
所望の顔ひげスタイルを達成するために毛が剃られるべき領域を画定する切り抜きを備える、請求項11に記載のシェービングマスク。
【請求項１３】
三次元プリンタに請求項11または12に記載の特注のシェービングマスクを3D印刷させるように適合されたコンピュータ実行可能命令を担持する電気信号。
【請求項１４】
請求項11または12に記載の特注のシェービングマスクを三次元プリンタに3D印刷させるように構成されたコンピュータ実行可能命令を記憶したコンピュータ可読媒体。
【請求項１５】
請求項8乃至10のいずれか1項に記載の方法をコンピュータに実行させるコンピュータ実行可能命令を記憶したコンピュータ可読媒体。  
【発明の詳細な説明】
【技術分野】
【０００１】
本発明は、個人の頭部または顔の一部の形状に適合した特注のシェービングマスクを印刷するためのテンプレート、および、本発明のシステムを用いて作製されたテンプレートから印刷された特注のシェービングマスクに関する。
【背景技術】
【０００２】
ひげのスタイリングおよびトリミングは、対称性および/または好ましいスタイリング輪郭が維持されるように、顔の毛の選択された部分のみを除去するために良好な視覚と手の協調を必要とする。スタイリングプロセスをより簡単にするために、個人は、剃らずに残しておきたい顔の領域をブロックするために、櫛をガイドとして使用することがあります。これは、より簡単に左右に複製されたきれいに分けられた輪郭を残すのに役立ちます。より複雑なスタイルは、個人が高いレベルの器用さと芸術的能力を持つことを必要とする、複雑な三次元自由曲線をひげに剃りいれることによって生み出される。
【０００３】
従って、シェービング装置の使用者が比較的容易に所望のヘアスタイルを生成することを可能にすることが望ましい。
【０００４】
米国特許出願公開第2009/0223530号明細書から、顔に取り付け可能であり、顔ひげをトリマーなどで除去する際のガイドとして役立つシェービングマスクを提供することが知られている。このガイドは、ユーザが、良好な対称性を維持しながら、マスクによって規定された顔ひげのスタイルを達成することを可能にする。US2009/0223530は、カスタマイズされたまたは特注のマスクの作成を提供せず、したがって、所望の顔ひげのスタイルを達成するためのユーザの機会を制限する。
【０００５】
さらに注意すべきは、US2009/0151741は、カスタマイズされた化粧用テンプレートを作成する方法を開示し、この方法は、化粧料が塗布された顔の一部への転写媒体を配置するステップと、転写媒体上に受容されたインプリントから画像を生成するステップと、画像に対応するテンプレート媒体にアパーチャを形成することにより顔の一部のテンプレートを生成するステップとして実行される。
【発明の概要】
【発明が解決しようとする課題】
【０００６】
本発明の目的は、上述の問題を実質的に軽減または克服するテンプレートを作製するためのシステムおよび方法を提供することである。
【課題を解決するための手段】
【０００７】
本発明の一態様によれば、個人の頭または顔の一部分の形状に適合する特注のシェービングマスクを印刷するためのテンプレートを作製するためのシステムが提供され、前記特注のシェービングマスクは、シェービング中に所望のヘアスタイルを達成することができように前記頭または顔上に配置可能であり、前記システムは、（a）ユーザの頭または顔の三次元スキャンを表すデータを格納するように構成されたデータストアと、（b）複数の顔ひげスタイルからの所望の顔ひげスタイルのユーザ選択に関する情報を受信するように構成されたユーザ入力部と、（c）前記テンプレートを生成するために前記選択された顔ひげスタイルを表すデータを前記三次元スキャンを表す前記データにマッピングするように構成されたプロセッサとを備える。
【０００８】
いくつかの実施形態では、システムはサーバを備え、所望の顔ひげスタイルのユーザ選択に関する情報がネットワークを介して受信される。
【０００９】
いくつかの実施形態では、システムは、複数の顔ひげスタイルからの所望の顔ひげスタイルのユーザ選択を受け取るように構成されたユーザインタフェースをさらに備える。
【００１０】
いくつかの実施形態では、ユーザ入力部、ユーザインタフェース、データストアおよびプロセッサは単一の装置に含まれる。
【００１１】
いくつかの実施形態では、システムは、ユーザの頭または顔の三次元スキャンを表すデータを取得するように構成された三次元スキャナを備える。
【００１２】
いくつかの実施形態では、システムは、個人の頭部または顔の一部の形状に適合する特注のシェービングマスクを印刷するように構成された三次元プリンタを備え、当該プリンタは、テンプレートによって前記特注のシェービングマスクを印刷するように指示される。
【００１３】
いくつかの実施形態では、テンプレートは、三次元プリンタに前記特注のシェービングマスクを印刷させるように適合されたコンピュータ実行可能命令のセットである。
【００１４】
本発明の一態様によれば、個人の頭または顔の一部の形状に対応する内面を有する特注のシェービングマスクを印刷するためのテンプレートを生成する方法であって、前記特注のシェービングマスクは、シェービング中に所望の顔ひげスタイルが達成されるように前記頭または顔上に配置可能であり、前記方法は、（a）ユーザの頭または顔の三次元スキャンを表すデータを取得するステップと、（b）複数の顔ひげスタイルからの所望の顔ひげスタイルのユーザ選択を受信するステップと、（c）前記テンプレートを生成するために前記選択された顔ひげスタイルを表すデータを前記三次元スキャンを表す前記データにマッピングするステップとを含む。
【００１５】
いくつかの実施形態では、この方法は、複数の顔面ひげスタイルからの所望の顔面ひげスタイルのユーザ選択を受け取るためにユーザインタフェースを使用することを含む。
【００１６】
いくつかの実施形態では、この方法は、三次元スキャナを使用してユーザの頭または顔の三次元スキャンを表すデータを取得することを含む。
【００１７】
本発明の態様によれば、本発明の方法を使用して生成されたテンプレートから印刷された特注のシェービングマスクが提供され、前記マスクは、個人の頭または顔の一部の形状に適合する内面を有する。
【００１８】
いくつかの実施形態では、マスクは、所望の顔ひげスタイルを達成するためにひげが剃られるべき領域を画定する切り抜きを含む。
【００１９】
本発明の一態様によれば、上記の態様のいずれかにより三次元プリンタに特注のシェービングマスクを3D印刷させるように適合されたコンピュータ実行可能命令を担持する電気信号が提供される。
【００２０】
本発明の一態様によれば、上記の態様のいずれかにより三次元プリンタに特注のシェービングマスクを3D印刷させるように適合されたコンピュータ実行可能命令を格納するコンピュータ可読媒体が提供される。
【００２１】
本発明の一態様によれば、コンピュータに上記の態様のうちのいずれかの方法を実行させるように適合されたコンピュータ実行可能命令を格納するコンピュータ可読媒体が提供される。
【００２２】
本発明のこれらおよび他の態様は、以下に記載される実施形態を参照して明らかになるであろう。
【図面の簡単な説明】
【００２３】
本発明の実施形態を、添付の図面を参照して、純粋に一例として以下に説明する。
【図１】コンピュータ、コンピュータ装置およびユーザインタフェースを有し、コンピュータ装置がコンピュータによって提供される、本発明の一実施形態。
【図２】コンピュータ、コンピュータ装置およびウェブサイトを有し、コンピュータ装置がオンラインサーバによって提供される、本発明の一実施形態。
【図３】コンピュータ、コンピュータ装置およびユーザインタフェースを有し、コンピュータ装置がオンラインサーバによって提供される、本発明の一実施形態。
【図４】ユーザが所望の顔ひげスタイルを得るために必要なステップを示すフローチャート。
【発明を実施するための形態】
【００２４】
本発明の実施形態は、添付の図面を参照して、単なる例示として記載される。
【００２５】
本発明の実施形態は、ユーザの頭または顔の一部分の形状に適合する特注のシェービングマスクを印刷するためのテンプレートを生成するためのシステム1を提供する。システム1は、データストア2と、ユーザ入力部3と、プロセッサ4とを備える。
【００２６】
データストア2は、ユーザの頭または顔の三次元スキャンを表す情報を格納するように構成されている。ユーザ入力部3は、所望の顔面ひげスタイルのユーザ選択を受信するように構成され、プロセッサ4は、特注のシェービングマスクを三次元印刷するためのテンプレートを生成するために、ユーザ入力部3からの情報をユーザの頭または顔の三次元スキャンを表すデータにマッピングするように構成される。
【００２７】
システム1は、任意の適切なコンピュータ6上で動作するように構成されたアプリケーションまたはコンピュータプログラムであるユーザインタフェース5によってユーザにアクセス可能にされてもよい。あるいは、システム1は、任意の適切なコンピュータ6上で動作するように構成されたインターネットブラウザ9によってアクセスされるウェブサイト7によってユーザにアクセス可能にされてもよい。他の実施形態では、ウェブサイト7によって提供される機能性は、スマートフォンアプリまたは他の適切なネットワーク接続されたハードウェアもしくはソフトウェアによって提供されることができる。
【００２８】
このシステム1を補足すると、ユーザの頭または顔の三次元スキャンを生成するための三次元スキャナと、プロセッサ4によって生成されたテンプレートに従って特注のシェービングマスクをプリントするための三次元プリンタが提供される。
【００２９】
データストア2、ユーザ入力部3およびプロセッサ4は、コンピューティング装置8によって提供される。第1の実施形態では、 図1に示すように、コンピューティング装置8は、コンピュータ6によって提供されてもよく、コンピュータ6は、ユーザインターフェース5を実行するように構成されたコンピュータ6である。そのようなコンピュータ6は、スマートフォン、タブレット、汎用コンピュータ6、または他の適切なコンピュータ6であってもよい。第2の実施形態では、図2に示すように、コンピューティング装置8は、リモートサーバによって提供され、インターネットに接続されて、通常の方法でウェブサイト7 を介してアクセスされる。第3の実施形態では、 図3に示すように、コンピューティング装置8は、リモートサーバによって提供され、インターネットに接続され、任意の適切なコンピュータ6上で動作するユーザインタフェース5によってアクセスされる。
【００３０】
ユーザが三次元スキャナを使用して、頭や顔の形状に関する情報を含む三次元スキャンファイルを作成することが意図されている。次いで、三次元スキャンファイルは、ファイルがデータストア2内で受け取られることができるように、コンピューティング装置8にアクセス可能にされる。次いで、ユーザは、システム1のユーザ入力部3により、所望の顔面ひげスタイルを入力して、前記顔ひげスタイルがプロセッサ4と通信可能になるようにする。ユーザにより適切なコマンドが実行されると、プロセッサ4は、ユーザの所望の顔ひげスタイルに関する情報を、データストア2で受信した三次元スキャンファイルと組み合わせて、前記選択された顔ひげスタイルをユーザの頭または顔の三次元スキャンファイルにマッピングする。プロセッサ4はさらに、三次元スキャンファイルおよびユーザが選択した顔ひげスタイルを解釈して、三次元プリンタに特注のシェービングマスクを印刷するよう指示するために使用されることができるコンピュータ実行可能命令のセット、すなわちテンプレートを生成するように構成される。
【００３１】
特注のシェービングマスクは、ユーザの頭または顔の一部に正確にフィットする内面と、ユーザがシェービングするためのガイドとして使用することができる輪郭とを有するように構成される。使用時に、シェービングマスクは、ユーザが選択した顔ひげスタイルに対応するユーザの顔の領域をカバーする。次に、ユーザはマスクの輪郭の周りを剃り、マスクによって覆われていない顔の領域から顔ひげを除去する。シェービング活動が完了すると、マスクが除去され、マスクによって覆われていた顔の領域が剃り残され、所望の顔ひげのスタイルが達成される。
【００３２】
ユーザの頭または顔の形状に正確に対応する内面を有するマスクは、伸張または変形させることなくマスクがユーザにフィットするという固有の利点を提供することが理解されるべきである。使用中にマスクが引き伸ばされたり変形されたりしていないので、マスクの輪郭は保存されるので、シェービングの後、ユーザには、予想されていた顔ひげスタイルが残される。
【００３３】
さらに、マスクは、顔ひげをマスクの輪郭内の領域から除去することができるように、切り抜きを含むこともできる。切り抜きは、ユーザが顔ひげの中に切り入れたいと望むかもしれないパターンまたはアイコンを表すことができる。あるいは、マスクは、閾値長を超える顔ひげがマスクを突き抜けるように構成されてもよい。したがって、突出した顔ひげは、シェービングのためにアクセス可能であり、マスク上でのシェービングにおいて、ユーザは、マスクの下に位置するひげを、マスクの厚さによって許容される長さへと整えることができる。
【００３４】
図4は、特注のシェービングマスクを印刷するためのテンプレートを生成する方法の段階（ステップS2~ステップS5）を示すフローチャートであり、図4は、本発明の実施形態によって可能にされる所望の顔ひげスタイルを得るためのステップをさらに示す（ステップS1からステップS7）。
【００３５】
ステップS1において、ユーザは、頭や顔の三次元スキャンを行う。ステップS2では、三次元スキャンファイルをコンピュータ装置にアクセス可能にする。ステップS3において、ユーザは顔ひげスタイルを選択し、ユーザ入力部に顔ひげスタイルを入力する。ステップS4では、顔ひげスタイルが三次元スキャンにマッピングされる。ステップS5において、ユーザは、特注のシェービングマスクを印刷するためのテンプレートを生成するようにコンピューティング装置に指示する。ステップS6において、ユーザは三次元プリンタを用いてマスクを印刷する。ステップS7において、ユーザは顔にマスクを適用し、以前に設計された顔ひげを実現するためにマスクの周りを剃る。
【００３６】
そこで、まず、ユーザは、顔の三次元スキャンを行う（ステップS1）。これは、三次元スキャナで改造されたタブレットまたはスマートフォンなどのポータブルコンピューティングデバイスを使用して達成することができる。代替的に、専用の三次元スキャナ/カメラを使用することができ、三次元スキャナ/カメラはポータブル装置であるか、またはフォトブースである。これらのデバイスは、ユーザに三次元スキャンファイルを提供する。
【００３７】
三次元スキャンファイルは、従来のカメラおよびコンピュータ6を用いて同様に良好に作成されることができる。三次元スキャンファイルは、異なる角度からユーザの頭または顔の複数の写真を撮り、それらをコンピュータ6にアクセス可能にするステップによって生成され、コンピュータ6は、写真を処理し、それらを三次元スキャンファイルに変換するように構成される。コンピュータ6は、写真を受け取るためのユーザ入力部3と、前記写真を三次元スキャンファイルに変換するプロセッサ4とを有するシステム1を備える。システム1は、ユーザインタフェース5によってユーザにアクセス可能にされ、ユーザインタフェース5は、アプリケーションまたはコンピュータプログラムであり、前記アプリケーションまたはコンピュータプログラムは、シェービングテンプレートを生成するために用いられるシステム1にアクセスするために使用されるのと同じアプリケーションまたはコンピュータプログラムであり得る。
【００３８】
次いで、ユーザは、三次元スキャンをコンピューティング装置8にアクセス可能にし、それがデータストア2によって受信されるようにする（ステップS2）。第1の実施形態では、ユーザは、ユーザインタフェース5を使用して、三次元スキャンファイルをコンピューティング装置8にアクセス可能にし、ここで、コンピューティング装置8は、ユーザインタフェース5を実行するように構成された同じコンピュータ6によって提供される。前記コンピュータ6は、スマートフォン、タブレット、汎用コンピュータ6、または他の適切な手段であってもよい。
【００３９】
第2の実施形態では、ユーザは、三次元スキャンファイルをウェブサイト7を介してコンピューティング装置8にアクセス可能にし、コンピューティング装置8は、インターネットに接続されたリモートサーバである。ウェブサイト7は既知の手段によってアクセスされ、そのような手段には、インターネットブラウザ9を使用することが含まれ、インターネットブラウザ9は、任意の適切なコンピュータ6上で動作するように構成されている。
【００４０】
第3の実施形態では、ユーザは、三次元スキャンファイルをコンピュータ装置8にアクセス可能にするためにユーザインタフェース5を使用し、コンピュータ装置8は、インターネットに接続されたリモートサーバである。ユーザインタフェース5がインターネットと直接通信可能であるようなそのような構成は、スマートフォン、タブレットおよび同様の装置のためにダウンロード可能なアプリケーションの共通の特徴である。
【００４１】
三次元スキャンファイルがコンピューティング装置8にアクセス可能になると、前記スキャンファイルはシステム1のデータストア2で受信され、プロセッサ4と通信可能になる。
【００４２】
三次元スキャンファイルがデータストア2で受信されると、ユーザはウェブサイト7またはユーザインタフェース5を使用して、顔ひげのスタイルを選択することができる（ステップS3）。任意選択的に、ユーザは、ウェブサイト7またはユーザインタフェース5を使用して、予め作成されたリストから顔ひげスタイルオプションを個別に選択する。あるいは、ウェブサイト7またはユーザインタフェース5は、ユーザが自分でデザインした顔ひげスタイルを作成することを可能にするように構成されることができ、このデザインは、必要に応じて、パターンまたはアイコンに関する情報を含むことができる。ユーザが選択した顔ひげのデザインは、ユーザ入力部3によって受信され、プロセッサ4が利用できるようになる。
【００４３】
本発明の可能な実施形態では、ユーザは、ウェブサイト7またはユーザインターフェース5を使用して、顔の三次元画像上でプレビューするために、選択された顔ひげスタイルを、ユーザの頭または顔の三次元スキャンファイルにマッピングすることができる（ステップS4）。
【００４４】
次いで、システム1は、特注のシェービングマスクを印刷するためのテンプレートを生成するようにユーザによって指示される（ステップS5）。この指示に応じて、プロセッサ4は、テンプレートを生成するために、ユーザ入力部3によって受信されたユーザの所望の顔ひげスタイルに関する情報を、データストア2で受信された三次元スキャンファイルと組み合わせる。顔ひげに剃りいれられるべきパターンまたはアイコンをユーザが必要とする場合、プロセッサ4は、ユーザ入力部3からパターンまたはアイコンに関する情報を読み出し、マスクテンプレート内に切り抜きのための対応する命令を含めるために前記情報を使用するように構成される。
【００４５】
テンプレートが生成されると、ユーザはこのテンプレートファイルを自由に使用して、適切なプリンタにマスクの印刷を指示する（ステップS6）。プリンタは、家庭内で使用することができる点で家庭用の機器であってもよく、あるいは、三次元印刷サービスプロバイダによって提供されてもよい。
【００４６】
マスクが印刷されると、それは、ユーザが選択した顔ひげのデザインを実現するために、上記のように使用されることができる（ステップS7）。
マスクは、三次元プリンタでの使用に適した任意の材料で作られているが、PLA（ポリ乳酸）またはABS（アクリロニトリルブタジエンスチレン）から製造される可能性が最も高い 。どちらもプラスチック素材であり、PLAは生分解性である一方、ABSはやや強くて硬いという利点がある。マスクを作るための材料は、使用されるプリンタによって決まる可能性が高い。
【００４７】
説明したように、本発明の実施形態は、個人の頭または顔の一部分の形状に適合する特注のシェービングマスクを印刷するためのテンプレートを作製するためのシステムを提供することができ、前記特注のシェービングマスクは、シェービング中に所望のヘアスタイルを達成するために、前記頭または顔上に配置可能であり、  前記システムは、（a）複数の顔ひげスタイルからの所望の顔ひげスタイルのユーザ選択に関する情報を受信するように構成されたユーザ入力部と、（c）ユーザの頭または顔の三次元スキャンを表すデータを格納するように構成されたデータストアと、（b）前記テンプレートを生成するために、前記選択された顔ひげスタイルを表すデータを前記三次元スキャンを表す前記データ上にマッピングするように構成されたプロセッサとを備える。
【００４８】
本発明の実施形態によって使用されるハードウェアは、多数の異なる形態をとることができることが理解されよう。例えば、システムの全ての構成要素は、単一の装置（例えば、図 1の例）によって提供されてもよく、又はシステムの異なる構成要素が別個の装置上に提供されてもよい。そのような構成の例は図2のシステムであり、それぞれのシステムの構成要素のいくつかはあるデバイス上に提供され、他の構成要素はリモートデバイス上に提供される（この文脈では、「リモート」は、デバイスの一部ではないがデバイスと通信可能であることを意味する）。より一般的には、本発明の実施形態は、1つのデバイスまたは通信する複数のデバイスを備えるシステムを提供することができることが理解されよう。
いくつかの実施形態では、システムは、 複数の顔面ひげスタイルからの所望の顔面ひげスタイルのユーザ選択を受け取るように構成されたユーザインターフェースを備えることができる。いくつかの実施形態では、ユーザ入力ぶ、ユーザインタフェース、データストアおよびプロセッサは単一の装置に含まれる。他の実施形態では、例えば、ユーザ入力部、データストアおよびプロセッサをサーバ上に設けることができ、ユーザインタフェースは、ユーザのPC（または他のインターネット接続デバイス）上のウェブブラウザ（または等価物）を含むことができる。
【００４９】
本発明の実施形態はまた、個人の頭または顔の一部分の形状に対応する内面を有する特注のシェービングマスクを印刷するためのテンプレートを生成する方法であって、前記特注のシェービングマスクは、シェービング中に所望の顔ひげスタイルが達成されることができるように、前記頭または顔上に配置可能であり、前記方法は、（a）複数の顔ひげスタイルからの所望の顔ひげスタイルのユーザ選択を受信するステップと、（b）ユーザの頭または顔の三次元スキャンを表すデータを取得するステップと、（c）前記テンプレートを生成するために、前記選択された顔ひげスタイルを表すデータを前記三次元スキャンを表す前記データにマッピングするステップとを含む。
【００５０】
本発明の実施形態はまた、本発明の任意の実施形態の方法を使用して生成されたテンプレートから印刷された特注のシェービングマスクを提供することができ、前記マスクは、個人の頭または顔の一部の形状に適合する内面を有する。
【００５１】
本発明の実施形態は、三次元プリンタに特注のシェービングマスクを3D印刷させるように適合されたコンピュータ実行可能命令を担持する電気信号を提供することもできる。
【００５２】
本発明の実施形態はまた、三次元プリンタに特注のシェービングマスクを3D印刷させるように構成されたコンピュータ実行可能命令を格納するコンピュータ可読媒体を提供することができる。
【００５３】
本発明の実施形態はまた、コンピュータに本発明の任意の実施形態の方法を実行させるように構成されたコンピュータ実行可能命令を格納するコンピュータ可読媒体を提供することができる。
【００５４】
用語「含む（comprising）」は、他の要素またはステップを排除するものではなく、不定冠詞「a」または「an」は複数を除外しないことを理解されたい。特定の手段が相互に異なる従属請求項に列挙されているという単なる事実は、これらの手段の組み合わせが有利に使用できないことを示すものではない。特許請求の範囲内のいかなる参照符号も、特許請求の範囲を限定するものとして解釈されるべきではない。
特許請求の範囲は、本出願においては、特徴の特定の組み合わせに対して策定されているが、本発明の開示の範囲はまた、いずれかの請求項において現在請求されている発明と同一であるか否かにかかわらず、そして、元の発明と同じ技術的問題のいずれかまたはすべてを軽減するか否かにかかわらず、本明細書に明示的もしくは暗示的に開示される任意の新規な特徴もしくは任意の新規の組み合わせまたはその任意の一般化を含むことが理解されるべきである。出願人は、本願または本願から派生する更なる出願の手続きにおいて、そのような特徴及び/又は特徴の組合せに対して新しい請求項を策定することができることを予告する。
【図１】
2018506326.tif 000003
【図２】
2018506326.tif 000004
【図３】
2018506326.tif 000005
【図４】
2018506326.tif 000006
【国際調査報告】
2018506326.tif 000007
2018506326.tif 000008